【手続補正書】
【提出日】平成17年3月24日(2005.3.24)
【手続補正１】
【補正対象書類名】明細書
【補正対象項目名】特許請求の範囲
【補正方法】変更
【補正の内容】
【特許請求の範囲】
【請求項１】
一方の端に形成された直円筒形のストレート端部１１と、該ストレート端部の外周上に該ストレート端部１１の先端から導入端１２を隔てて該ストレート端部１１の外周上に突出形成された環状突部１３と、を備えている管状の雄要素１０と；
一端に開口２１４，２２４，２３４，２４４，２５４，２６４，２７４，２８４，２９
４を有し、該一端開口から該環状突部１３を備えた該ストレート端部１１を受入れるために軸方向内方に延びる軸穴２１３，２２３，２３３，２４４，２５３，２６３，２７４，２８４，２９５をもつソケット２１１，２２１，２３１，２４１，２５１，２６１，２７１，２８１，２９１と、該ソケットの他端に隣接した入口部２１２ａ，２２２ａ，２３２ａ，２６５ａ，２７２ａと該入口部から他端２１５に延びる終端部２１２ｂ，２１２ｂ，２３２ｂ，２６６，２７２ｂ，２８７からなり、少なくとも該入口部で該ストレート端部１１の該導入端１２を受入れ且つ該導入端と該ソケット間に環状のシール要素５１，５６を介在せしめて接続位置まで挿入された前記雄要素１０の該導入端１２の外周面と係合することにより該導入端と該雌型ハウジング要素間を流体密にシールするための該終端部側の軸穴よりも大きい大系軸穴２１６ａ，２２５ａ，２３５ａを有する段付き軸穴２１６，２２５，２３５をもつ、該ソケットの該他端から実質的に同軸的に一体に接続された管状本体２１２，２２２．２３２，２４２，２５２，２６２，２７２，２８２，２９２と、を備えた雌型ハウジング要素２１０，２２０，２３０，２４０，２５０，２６０，２７０，２８０，２９０と；
前記ストレート端部１１を挿通可能に形成された該ソケット２１１，２２１，２３１，２４１，２５１，２６１，２７１，２８１，２９１が該ソケットの一方の側に該一端開口に隣接して設けられた一端開口側部２１１ａ，２２１ａ，２３１ａ，２４１ａ，２５１ａ，３６、２７１ａ，２８１ａ，２９４ａと該ソケットの他方の側に設けられた他方側部２１１ｂ，２２１ｂ，２３１ｂ，２４１ｂ，２５１ｂ，６１１，６００，２７１ｂ，２８１ｂ，２９５ａを備えている一方、該雄要素と該雌型ハウジング要素とが軸方向外方に外れないように保持するために、前記雄要素の該ストレート端部１２が前記雌型ハウジング要素の該一端開口部から相対的に該ソケットの該受入軸穴の内方に押し込み挿入される挿入操作により少なくとも弾発的に該雄要素の該環状突部１３が通過可能に弾性的に半径方向に変形可能な変形可能部分３１１，３２１，３３１，３４１，３５１，３６１，（３９１，３９２及び３９３）と該環状突部１３が通過した時に該環状突部の半径方向背後接合面と係合する該変形可能部分に設けられた半径方向係合部３１２，３２２，３３１ａ，３４２，３５２，３６２，３９８ｂを備え、該ソケットの該一端開口側部２１１ａ，２２１ａ，２３１ａ，２４１ａ，２５１ａ，３６、２７１ａ，２８１ａ，２９４ａ及び／または該ソケットの該他方側部２１１ｂ，２２１ｂ，２３１ｂ，２４１ｂ，２５１ｂ，６１１，６００，２７１ｂ，２８１ｂ，２９５ａに軸方向に移動不能に設けられた保持手段３１，３１″，３２，３３，３４，３５，３６，３９と；
該雄要素と該雌型ハウジング要素が相対的に軸方向に接続位置まで十分挿入された時に、選択された該一端開口側部２２１ａ，２８１ａ，２９４ａ及び／または選択された該他方側部２１１ｂ，２３１ｂ，２４１ｂ，２５１ｂ，６１１，２７１ｂ，２９５ａに対応し、挿入された該ストレート端部１１に形成された該環状突部１３よりも後方に位置する該ストレート端部１１の後方領域及び／または該環状突部１３よりも前方に位置するストレート端部１１の前方領域の外周上に、選択された該一端開口側部２２１ａ，２８１ａ，２９４ａ及び／または選択された該他方側部２１１ｂ，２３１ｂ，２４１ｂ，２５１ｂ，６１１，２７１ｂ，２９５ａと同心的に配設された弾性的に拡径及び縮径可能な断面Ｃ字形状またはＵ字形状または筒状に形成された実質的に筒状の高摩擦要素４１，４３，４４，４５，４６，４７，３８，３９と；
該高摩擦要素の半径方向外方に備えられ、接続位置まで挿入された該ストレート端部１１の該後方領域及び／または該前方領域に対して選択された該一端開口側部及び／または選択された該他方側部に配置された該筒状の高摩擦要素を実質的に該高摩擦要素の外周から同心的に締付けるための弾性を有する断面Ｕ字状あるいは断面Ｃ字状の締結要素６１，６２，６３，６４，６５と；を具備していることを特徴とするコネクタ組立体。
【請求項２】
請求項１のコネクタ組立体において、接続位置に挿入された前記雄要素の前記ストレート端部１１の前記後方領域及び／または該ストレート端部１１の前方領域に対して前記締結要素により前記高摩擦要素が締付られた際に、該ストレート端部の該後方領域及び／または該ストレート端部１１の該前方領域に対応して、締付けた該締結要素及び／または締付けられた該高摩擦要素が前記雌型ハウジング要素に対して回動しないように、該雌型ハウジング要素の前記ソケットの前記選択された一端開口側部２２１ａ，２８１ａ，２９４ａ及び／または前記選択された他方側部２１１ｂ，２３１ｂ，２４１ｂ，２５１ｂ，６１１，２７１ｂ，２９５ａに、締付けた該締結要素及び／または締付けられた該高摩擦要素の少なくとも一部と係合するための規制要素２１８ａ，２１８ｂ及び２１８ｃ，２２６ａ及び２２６ｂ，６３０ａ及び６３０ｂ，２８１ｃ及び２８１ｄ，６１２ａのそれぞれの周方向の端縁，２７８ｂ，２８１ｃ及び穴２８１ｄ，２９８及び２９９，６１２ａ及び６１２ｂのそれぞれの周方向の端縁，２８１ｃ及び２８１ｄを備えていることを特徴とするコネクタ組立体。
【請求項３】
前記保持手段が前記ソケットと一体に形成されていることを特徴とする請求項１あるいは請求項２に記載のコネクタ組立体。
【請求項４】
前記保持手段３８が高摩擦要素を備えているかあるいは兼ね備えていることを特徴とする請求項１あるいは請求項２あるいは請求項３に記載のコネクタ組立体。
【請求項５】
前記締結要素６２，６３が前記保持手段を兼ね備えていることを特徴とする請求項１または請求項２または請求項３または請求項４に記載のコネクタ組立体。
【手続補正２】
【補正対象書類名】明細書
【補正対象項目名】０００１
【補正方法】変更
【補正の内容】
【０００１】【発明の属する技術分野】  本発明は、環状突部によって形成された半径方向外方に広がる接合面を有する管状の雄要素に選択的に係合、好ましくはロッキング係合するのに適したコネクタの改良に関し、特に、雌型ハウジング要素のソケットに確保されと共に、接続位置に挿入された雄要素のストレート端部の外周に配設される筒状の高摩擦要素とこの高摩擦要素をストレート端部に対して締付けるための締結要素とを具備し、雄要素のストレート端部の外周面を伝って外部から埃、雨水等の異物がシール要素の内周面とストレート端部の導入端の外周面間のシール部に侵入するのを抑制することができ、シール性を高めることができる新規なコネクタ組立体に関する。望ましくは、雄要素と雌型ハウジング要素とを相対的に容易に廻り止めすることができる新規なコネクタ組立体に関する。
【手続補正３】
【補正対象書類名】明細書
【補正対象項目名】０００３
【補正方法】変更
【補正の内容】
【０００３】これらのクイックコネクタは、雄要素が金属あるいは樹脂製のチューブからなり、かかるチューブの一端に形成された直円筒形のストレート端部の外周にビード等の環状突部が施されている。そして雌型ハウジングの一端部に、雄要素のストレート端部と共に環状突部を受容れる軸穴を備え、ストレート端部をこの軸穴内に挿入した時に、軸穴内に装着された環状のシール部材により、挿入された雄要素の導入端と雌型ハウジング間が流体密にシールされると共に、軸穴の入口に確保された保持要素の係合部に環状突部が係合あるいはスナップ係合することにより雌型ハウジングから雄要素が外れないように接続される。
【手続補正４】
【補正対象書類名】明細書
【補正対象項目名】０００６
【補正方法】変更
【補正の内容】
【０００６】しかしながら、外部からの埃、雨水等の異物が、挿入接続された管状の雄要素の外周面を伝って、雌型ハウジング要素内に装着されたシール要素の内周面と挿入された雄要素のストレート端部の導入端の外周面間のシール部に侵入し、コネクタのシール性を損なうという問題を有していた。また一般的に車体側に支持されたチューブが曲り部を有するので、これらのクコネクタは、特に車体の振動等により、使用中に雄要素と雌型ハウジングとが僅かに相対的な往復回動運動を繰り返すため、雄要素と雌型ハウジング間をシールするシール部材が磨耗し、あるいは磨耗しなくとも、特に、０℃以下等の低温下での使用において、シール部材が硬化してコネクタにおけるシール性を損なうという問題を有していた。このため、使用中に雄要素と雌型ハウジングとが相対的に回動しないように、雄要素及び雌型ハウジングをそれぞれ車体に強く固定するための手段が必要であった。
【手続補正５】
【補正対象書類名】明細書
【補正対象項目名】０００７
【補正方法】変更
【補正の内容】
【０００７】【発明が解決しようとする課題】  雄要素と雌型ハウジング要素とを従来と同様に保持手段によって回動自在に接続でき、特に、雌型ハウジング要素のソケットに配設され、接続位置に挿入された雄要素のストレート端部の外周に配設される筒状の高摩擦要素とこの高摩擦要素をストレート端部に対して締付けるための締結要素とを具備し、雄要素のストレート端部の外周面を通して外部から埃、雨水等の異物がシール要素の内周面とストレート端部の導入端の外周面間のシール部に侵入するのを抑制することができ、シール性を高めることができるコネクタ組立体を提供することを第１の目的とし、望ましくは、接続された雄要素と雌型ハウジング要素とが相対的に回動しないように容易に廻り止め可能に構成できるコネクタ組立体を提供することを目的とする。さらに、他の目的として、新規なコネクタ組立体及び確認部材を提供することもできる。
【手続補正６】
【補正対象書類名】明細書
【補正対象項目名】０００８
【補正方法】変更
【補正の内容】
【０００８】【課題を解決するための手段】  上記目的を達成するために、本発明の請求項１のコネクタ組立体は、  一方の端に形成された直円筒形のストレート端部と、該ストレート端部の外周上に該ストレート端部の先端から導入端を隔てて該ストレート端部の外周上に突出形成された環状突部と、を備えている管状の雄要素と；  一端に開口を有し、該一端開口から該環状突部を備えた該ストレート端部１１を受入れるために軸方向内方に延びる軸穴をもつソケットと、該ソケットの他端に隣接した入口部と該入口部から他端に延びる終端部からなり、少なくとも該入口部で該ストレート端部の該導入端を受入れ且つ該導入端と該ソケット間に環状のシール要素を介在せしめて接続位置まで挿入された前記雄要素の該導入端の外周面と係合することにより該導入端と該雌型ハウジング要素間を流体密にシールするための該終端部側の軸穴よりも大きい大系軸穴を有する段付き軸穴をもつ、該ソケットの該他端から実質的に同軸的に一体に接続された管状本体と、を備えた雌型ハウジング要素と；前記雄要素の該ストレート端部が、前記雌型ハウジング要素の該一端開口部から相対的に該ソケットの該受入軸穴の内方に押し込み挿入される挿入操作により少なくとも弾発的に該雄要素の該環状突部が通過可能に弾性的に半径方向に変形可能な変形可能部分と、該環状突部が通過した時に該環状突部の半径方向背後接合面と係合する該変形可能部分に設けられた半径方向係合部とを備え、該雄要素と該雌型ハウジング要素とが軸方向外方に外れないように保持するために、軸方向に移動不能に該ソケットに設けられた保持手段と；前記ストレート端部を挿通可能に形成された該ソケットが該ソケットの一方の側に該一端開口に隣接して設けられた一端開口側部と該ソケットの他方の側に設けられた他方側部を備え、該雄要素と該雌型ハウジング要素が相対的に軸方向に接続位置まで十分挿入された時に、選択された該一端開口側部及び／または選択された該他方側部に対応し、挿入された該ストレート端部１１に形成された該環状突部よりも後方に位置する該ストレート端部の後方領域及び／または該環状突部よりも前方に位置するストレート端部の前方領域の外周上に、選択された該一端開口側部及び／または選択された該他方側部と同心的に配設された弾性的に拡径及び縮径可能な断面Ｃ字形状またはＵ字形状または筒状に形成された実質的に筒状の高摩擦要素と；該高摩擦要素の半径方向外方に備えられ、接続位置まで挿入された該ストレート端部の該後方領域及び／または該前方領域に対して選択された該一端開口側部及び／または選択された該他方側部に配置された該筒状の高摩擦要素を実質的に該高摩擦要素の外周から同心的に締付けるための弾性を有する断面Ｕ字状あるいは断面Ｃ字状の締結要素と；を具備していることを特徴とするコネクタ組立体を構成したものである。次に、本発明の請求項２のコネクタ組立体は、請求項１のコネクタ組立体において、接続位置に挿入された前記雄要素の前記ストレート端部１１の前記後方領域及び／または該ストレート端部の前方領域に対して前記締結要素により前記高摩擦要素が締付られた際に、該ストレート端部の該後方領域及び／または該ストレート端部の該前方領域に対応して、締付けた該締結要素及び／または締付けられた該高摩擦要素が前記雌型ハウジング要素に対して回動しないように、該雌型ハウジング要素の前記ソケットの前記選択された一端開口側部及び／または前記選択された他方側部に、締付けた該締結要素及び／または締付けられた該高摩擦要素の少なくとも一部と係合するための規制要素を備えていることを特徴とするコネクタ組立体を構成したものである。さらに、本発明の請求項３のコネクタ組立体は、前記保持手段が前記ソケットと一体に形成されていることを特徴とする請求項１あるいは請求項２に記載のコネクタ組立体を構成したものである。さらに、本発明の請求項４のコネクタ組立体は、前記保持手段が高摩擦要素を備えているかあるいは兼ね備えていることを特徴とする請求項１あるいは請求項２あるいは請求項３に記載のコネクタ組立体を構成したものである。さらに、本発明の請求項５のコネクタ組立体は、前記締結要素が前記保持手段を兼ね備えていることを特徴とする請求項１または請求項２または請求項３または請求項４に記載のコネクタ組立体を構成したものである。
【手続補正７】
【補正対象書類名】明細書
【補正対象項目名】００１０
【補正方法】変更
【補正の内容】
【００１０】本発明は、管状の雄要素と選択的にロック係合、より好ましくはスナップ係合するのに適したコネクタあるいはさらに将来発明され得るかかるコネクタに有利に採用することができる新規なコネクタ組立体であって、雌型ハウジング要素の管状延長部内周面に、接続位置に挿入された雄要素の導入端の外周面と係合して導入端と管状延長部間を流体密にシールするための環状のシール要素が装着されている。そして、ストレート端部を挿通可能にソケットに設けられ、相対的に雄要素と雌型ハウジング要素が軸方向に該接続位置挿入された時に、ソケットと同心的に配設されるゴム弾性体からなる実質的に筒状の高摩擦要素と、高摩擦要素を外周から締付けるためのバネ弾性を有する断面Ｕ字状あるいは断面Ｃ字状の締結要素とを備え、雄要素のストレート端部に対して高摩擦要素を締結要素により締付けることにより、トレート端部の外周面を通して外部から埃、雨水等の異物がシール要素の内周面とストレート端部の導入端の外周面間のシール部に侵入するのを抑制することができ、シール性を高めることができるコネクタ組立体を提供することを第１の目的とし、さらに望ましくは、接続された雄要素と雌型ハウジング要素とが相対的に回動しないように容易に廻り止め可能に構成できる新規なコネクタ組立体を提供することにある。
【手続補正８】
【補正対象書類名】明細書
【補正対象項目名】００１１
【補正方法】変更
【補正の内容】
【００１１】【作用】本発明が提供する請求項１のコネクタ組立体は、雌型ハウジング要素のソケットの開口端から雄要素のストレート端部と共に環状突部を挿入した時に、保持手段により、雌型ハウジング要素と雄要素とを回動自在に結合、好ましくはスナップ結合することができ、相対的に雄要素と雌型ハウジング要素が軸方向に接続位置まで十分挿入された時に、ソケットの一端開口に隣設された一端開口側部及び／または該一端開口側部の他端側に設けられた他端側部に、一端開口側部及び／または他端側部に対応している、接続位置に挿入された環状突部よりも後方に位置するストレート端部の後方領域及び／またはストレート端部の導入端の外周上に、一端開口側部及び／または他端側部と同心的に配設された弾性体からなる弾性的に拡径及び縮径可能な断面Ｃ字形状またはＵ字形状または筒状に形成されている実質的に筒状の高摩擦要素を備え、しかも、接続位置挿入されたストレート端部１１の後方領域及び／または該導入端１２に対して実質的に前記筒状の高摩擦要素を外周から締付けるためのバネ弾性を有する断面Ｕ字状あるいは断面Ｃ字状の締結要素を備えているので、相対的に雄要素と雌型ハウジング要素が軸方向に該接続位置挿入された時に、締結要素により高摩擦要素をストレート端の導入端の外周面に対して密に締め付けることができ、好ましくは、雄要素のストレート端部の外周面を通して外部から埃、雨水等の異物が雌型ハウジング要素内に装着されたシール要素の内周面とストレート端部の導入端の外周面間のシール部に侵入するのを阻止することができる。請求項２のコネクタ組立体によれば、締付けた締結要素及び／または締付けられた該高摩擦要素のいずれかが雌型ハウジング要素に対して回動しないように、ストレート端部の後方領域及び／またはストレート端部の導入端に対応して、締付けた締結要素及び／または締付けられた該高摩擦要素のいずれかの少なくとも一部と回動しないように係合するための規制要素が前記ソケットの一端開口側部及び／または他端側部に形成されているので、雄要素のストレート端部の後方領域及び／または環状突部よりも後方に位置するトレーと端部の後方領域に対して高摩擦要素を強く締付けた時に、雄要素と高摩擦要素間に十分な摩擦抵抗を生じさせ、雄要素と雌型ハウジング要素との相対的回動を阻止することができる。
【手続補正９】
【補正対象書類名】明細書
【補正対象項目名】００１７
【補正方法】変更
【補正の内容】
【００１７】バネ弾性を有する断面Ｕ字状あるいは断面Ｃ字状の締結要素によって外周から筒状に締付けられる高摩擦要素は、一般的にゴム、エラストマー等の弾性材料や、皮等の高摩擦材料からなり、好ましくは、断面Ｕ字形状またはＣ字形状または筒状に形成され、ソケットの軸穴内に同心的に、雄要素のストレート端部が接続位置まで挿入可能に配置される。また、高摩擦要素は雄要素のストレート端部の外周に配設される。予め雄要素のストレート端部の外周面に係合、固着あるいはコーティングしても差支えない。かかる高摩擦要素は接続位置に挿入された雄要素のストレート端部に形成された環状突部よりも後方に位置するトレーと端部の後方領域に配設することができる。他の具体例では、高摩擦要素は接続位置に挿入された管状突部よりも前方に位置するトレーと端部の前方領域に配設することもできる。
【手続補正１０】
【補正対象書類名】明細書
【補正対象項目名】００１９
【補正方法】変更
【補正の内容】
【００１９】廻り止め手段は、実質的に前記高摩擦要素を締付けるための締結要素と、該締結要素により接続位置に挿入された前記雄要素の該ストレート端部に対して該高摩擦要素が締付られた際に、該ストレート端部に対して締付けた該締結要素及び／または締付けられた該高摩擦要素あるいは該保持手段が回動不能に係合するための前記ソケットに形成された規制要素とを備え、接続位置に挿入された雄要素のストレート端部に対して高摩擦要素が締結要素により締付られた時に、接続された雄要素と雌型ハウジング要素とが相対的に回動しないように容易に廻り止め可能に構成できる。
【手続補正１１】
【補正対象書類名】明細書
【補正対象項目名】００２０
【補正方法】変更
【補正の内容】
【００２０】締結要素は、一般的にバネ弾性を有し、断面Ｕ字形状またはＣ字形状または筒状に形成されたクリップあるいはステップル並びに環状のクランプあるいはバンドであり、ばね弾性を有する金属製あるいはプラスチック製である。そして、最も好ましい具体例では、締結要素により、接続位置に挿入された雄要素の管状突部よりも後方に位置するストレート端部の後方領域に対し前記高摩擦要素が締付られる。好ましい具体例では、締結要素を開放位置と締付け位置とを相互にスライド移動可能にソケットに保持することができる。
【手続補正１２】
【補正対象書類名】明細書
【補正対象項目名】００２２
【補正方法】変更
【補正の内容】
【００２２】前記保持手段をソケットの一端開口側部に確保する一方、廻り止め手段をソケットの他端側部に構成することができる。他の実施例として、前記廻り止め手段をソケットの一端開口側部に構成し、前記保持手段をソケットの他端側部に確保することができる。好ましい具体例では、締結要素により、接続位置に挿入された前記雄要素のストレーと端部のうち前記導入端領域に対し高摩擦要素を締付けるように構成することができる。また、前記保持手段をソケットの開口側部に確保することにより、接続位置に挿入された前記雄要素のストレーと端部のうち前記管状突部よりも前方に延びる前方領域に対し前記高摩擦要素を締付けるように構成することができる。
【手続補正１３】
【補正対象書類名】明細書
【補正対象項目名】００２９
【補正方法】変更
【補正の内容】
【００２９】ソケット部２１１は軸方向内方に延びる軸穴２１３の軸方向中間部にその内周面に半径方向内方に突出した環状のリブ２１１ｃが形成され、環状のリブ２１１ｃを境に一端開口２１４側に形成された大きい軸穴部２１３ａを有する一端開口２１４に隣接した一端開口側部２１１ａと他側に形成された小径軸穴部２１３ｂを有する一端開口側部２１１ｂとを備えている。
【手続補正１４】
【補正対象書類名】明細書
【補正対象項目名】００３３
【補正方法】変更
【補正の内容】
【００３３】雌型ハウジング要素２１０の管状延長部２１２の入口に段差部２１２ｅが施されている一方、この段差部２１２ｅに嵌合する円筒部４１ｂが弾性体１００のシール要素部５１と高摩擦要素部４１間に施されている。従って、弾性体１００を雌型ハウジング要素２１０の一端開口２１４から軸穴２１３内方に挿入した際に、この段差部２１２ｅに弾性体１００の円筒部４１ｂが嵌着され、Ｕ形状の高摩擦要素部４１はソケット部２１１の他端側に位置する小径部（他端側部）２１１ｂの軸穴２１３ｂ内にソケット部２１１と同心的に嵌着保持され、環状のシール要素部５１は管状延長部２１２の入口部２１２ａの入口側部２１２ｃの大きい軸穴２１６ａに係合装着され、断面Ｃ形状の保持手段部３１は、弾性的に拡径及び縮径可能にソケット部２１１の一端側に形成された大径部（一端開口側部）２１１ａの環状溝２１３ａ内に、保持される。
【手続補正１５】
【補正対象書類名】明細書
【補正対象項目名】００３５
【補正方法】変更
【補正の内容】
【００３５】従って、図２に示すように、雄要素１０のストレート端部１２をソケット部２１１の一端開口２１４から挿入した時に、雄要素１０の環状突部１３により係合突部３１２が保持手段部３１の円筒状の変形可能部分３１１と一緒に弾性的に拡径され、雄要素１０の環状突部１３を環状の係合溝３１１ａ内に収容させることができ、係合突部３１２に環状突部１３の背後に形成された半径方向外方に広がる接合面１３ａを弾発的にスナップ（ロック）係合させことができと共に、ソケット部２１１の入口部２１２ａの入口側部２１２ｃの大きい軸穴２１６ａに係合装着された環状のシール要素部５１の内周面に、接続位置に挿入された雄要素１０の導入端１２における少なくとも先端寄りの外周面Ｅが係合して、導入端１２と管状延長部２１２の入口部２１２ａ間を流体密にシールすることができる。
【手続補正１６】
【補正対象書類名】明細書
【補正対象項目名】００３８
【補正方法】変更
【補正の内容】
【００３８】この小径軸穴部２１３ｂに弾性体１００の高摩擦要素部４１が、図１に示すように、配置されている。そして、図４及び図７を参照すると、断面Ｕ字形状の高摩擦要素部４１は、雄要素１０の導入端１２の外径よりも少し大きい内径を有する中央穴を有し、平坦な外表面４１４ａをもつ接続壁４１４と、接続壁４１４の両端から直角に延びる一対の平行外表面４１２ａ，４１３ａをもつ側壁４１２，４１３とを備え、側壁４１２，４１３の対向する一対の自由端間に軸方向に延びる空間４１５が形成されている。また、平坦な外表面４１４ａと一方の平行外表面４１２ａとの交差部及び他方の平行外表面４１２ｂとの交差部は弧状表面４１６，４１７が施され、他方の弧状表面４１７に係合凹部４１７ａが形成されている。また、側壁４１２，４１３の一対の自由端部は、それぞれの平行外表面４１２ａ，４１３ａから漸次互いに接近するテーパ表面４１２ｂ，４１３ｂが形成されている。そして、このように形成された断面Ｕの字形状あるいはＣ字形状の高摩擦要素部４１がソケット部２１１の小径部（他方側部）２１１ｂの軸穴２１３ｂ内に、図７に示すように、逆Ｕの字状に軸穴と同心的に配置されている。
【手続補正１７】
【補正対象書類名】明細書
【補正対象項目名】００４２
【補正方法】変更
【補正の内容】
【００４２】この様にクリップ６１が仮止めされた開放位置では、雌型ハウジング２１０に、雄要素１０のストレート端部１１及び環状突部１３を雌型ハウジング２１０の一端開口２１４から接続位置まで挿入でき、雄要素１０が接続位置まで挿入された際に雌型ハウジング要素２１０と雄要素１０が回動自在に接続され、しかる後、図８に示すように、クリップ６１を第１の窓２１８の一対の対向表面２１８ａ，２１８ｂに沿って、実質的に半径方向外方から締付け位置に差込むと、長い平板状の脚部６１２の自由端が延長溝２１８ｃを挿通して波状の突出部６１４を延長溝２１８ｃの外縁に係止できると共に、短い平板状の脚部６１３のカール部６１５を高摩擦要素部４１の一方のテーパ表面４１３ｂに強く係合させことができ、図３に示すように、上述した雄要素１０の導入端１２の環状突部１３よりも前方に延びる前方領域に対して高摩擦要素４１が同心的に締付られ、実質的にクリップ６１と高摩擦要素４１と雄要素１０が一体的に、所定の相対的回動位置に固着され、且つ、このように、クリップ６１により一体的に固着された高摩擦要素４１と雄要素１０とが、クリップ６１の一対の平板状の平行脚部６１２，６１３が雌型ハウジング２１０のソケット部２１１の小径部２１１ｂの筒壁に形成された一対の対向表面２１８ａ，２１８ｂ及び延長溝２１８ｃに当接して、雄要素１０と雌型ハウジング要素２１０との回動が規制され、雄要素１０と雌型ハウジング２１０との相対的な回動が阻止される。
【手続補正１８】
【補正対象書類名】明細書
【補正対象項目名】００４５
【補正方法】変更
【補正の内容】
【００４５】高摩擦要素４１を締付けているクリップ５１は、図１６に示すように、開放位置と締付け位置とを半径方向（軸直角）に往復可能にソケット部２１１に係合されており、従って、第２の窓２１９を介してこのクリップ５１を開放位置へ押し上げ操作でき、クリップ５１を締付け位置から開放位置に強制的に移動させることができ、しかる後、この種のクィックコネクタに用いられる周知のリリース具を用いて、雄要素１０と雌部材２１との接続を解除することができる。
【手続補正１９】
【補正対象書類名】明細書
【補正対象項目名】００５６
【補正方法】変更
【補正の内容】
【００５６】管状延長部２２２は、その入口部２２２ａで雄要素１０の導入端１２を受容れると共にその終端部２２２ｂで流路を形成するために段付き軸穴２２５と一緒に形成され、雄要素１０の導入端１２が接続位置に挿入された時に、管状延長部２２２の入口部２２２ａで流体シールするために、入口部２２２ａの入口側に、終端側の軸穴２２５ｂの内径よりも大きい内径を有する大きい大径軸穴２２５ａが形成されている。そして、大きい軸穴２２５ａには、独立したＯリング５２、５２が装着され、Ｏリング５２、５２は入口部２２２の入口に圧入されたブッシュ５６により大きい軸穴２２５ａ内に保持されている。
【手続補正２０】
【補正対象書類名】明細書
【補正対象項目名】００５７
【補正方法】変更
【補正の内容】
【００５７】ソケット部２２１は、図１１、図１２及び図１４を参照すると、外郭が略四角形で、それぞれの壁は、四隅からコの字に突出し、径対称に突出した軸方向に延びる一方の一対の突出平行壁２２６，２２７と、この仮想径と直交する径と径対称に突出した軸方向に延びる他方の一対の突出平行壁２２８，２２９とで管壁が機構成され、管状延長部２９２との境に半径方向に延びる環状の表面を形成するために、延長部２２２の入口部２２２ａの大きい軸穴２２５ａよりも大きい軸穴２２３を有し、一端開口２２４から一様に内方に延びている。そして、一端開口２２４に隣接した一端側領域（一端開口側部）２２１ａに、後述する廻り止め手段６０２が構成され、この一端側領域（一端開口側部）２２１ａと対向する他方側に隣接した他側領域（他方側部）２２１ｂに、接続位置に挿入された雄要素１０をソケット部２２１から外れないように保持するための保持手段３２が構成されている。
【手続補正２１】
【補正対象書類名】明細書
【補正対象項目名】００５８
【補正方法】変更
【補正の内容】
【００５８】ソケット部２９１は、図１２は図１１のＳ−Ｓ線に沿った断面図であり、図に示すように、外郭が略四角形で、四つの壁は四隅からコの字に突出し、径対称に突出した軸方向に延びる一方の一対の突出平行壁２２６，２２７と、この仮想径と直交する径と径対称に突出した軸方向に延びる他方の一対の突出平行壁２２８，２２９とで管壁が構成され、ソケット部２２１の一端領域（一端開口側部）２２１ａには、開口端部２２６ａに隣接して横断孔２３０が、後述する分離独立した樹脂製のクリップ６２を取外し可能に装着できるように、軸穴２２３を横断すると共に、軸方向に延びる一方の一対の突出平行壁２２６，２２７をその開口端部の突出平行壁２２６ａと他側領域（他方側部）２２１ｂの突出平行壁２２６ｂを残して軸直角に分断形成されている。
【手続補正２２】
【補正対象書類名】明細書
【補正対象項目名】００６１
【補正方法】変更
【補正の内容】
【００６１】断面略菱形状の保持手段３２は、図１４に示すように、雄要素１０のストレート端部１１の外周に、径方向に対向する略長方形の厚肉になした一対の係合部３２２，３２２と、これら係合部３２２、３２２を互いに環状に結合する変形可能なＶ字状のウェブ３２１，３２１と、ウェブ３２１，３２１の頂部を覆う押し圧部３２３，３２３とで構成され、この断面略菱形の独立した保持手段３２は、実質的にウェブの変形可能部分３２１，３２１により、弾発的に縮径させることにより、第２の横断孔２２８ａ，２２９ａに沿わせて軸穴２２３ｂ内へ押込まれ、一対の係合部３２２，３２２が軸穴２２３ｂ中央に達した時に、ウェブ３２１，３２１の復元力によって、一対の係合部３２２，３２２はそれぞれ一対の切欠き凹部２２６ｃ，２２７ｃ内に嵌り込む一方、押し圧部３２３，３２３はそれぞれ第２の横断孔２２８ｂ，２２９ｂの軸方向に対面するに半径方向に延びる一対の対向ストッパー面間で軸方向に移動不能且つ押し圧可能に保持される。
【手続補正２３】
【補正対象書類名】明細書
【補正対象項目名】００６４
【補正方法】変更
【補正の内容】
【００６４】しかる後、第１の横断孔２３０の外周上からこの第１の横断孔２３０に沿わせて矢印方向に挿入し得るように、分離独立した樹脂製のクリップ６２が別に用意される。この分離独立した樹脂製のクリップ６２は、図１２に示すように、一対の平行脚部６２１，６２２と、この一対の平行脚部６２１，６２２の根元間を接続するクロス部６２３とを備えており、雄要素１０と雌型ハウジング要素２２０とを接続した後、第１の横断孔２３０に沿わせて、その平行脚部６２１，６２２の先端から矢印で示すように、クリップ６２を軸直角に方向（半径方向外方から締付け位置）に押し込むことにより、Ｕ字あるいはＣ字形状に折り曲げられた高摩擦要素４４の両端部を、平行脚部６２１，６２２の自由端部６２１ａ，６２２ａ間で挟持しつつ、平行脚部６２１，６２２の中間位置に形成された対面する円弧状凹部６２１ｂ，６２２ｂを、図１３に示すように、雄要素１０のストレート端部１１と同心的な締付け位置まで移動でき、挿入された雄部材１０の環状突部１３よりも後方に位置するストレート端部１１の後方領域の外周面に高摩擦要素４４の外周面に摩擦係合させると共に、クリップ６２のクロス部６２３の内面に形成された円弧状突部６２３ａを高摩擦要素４４の外周面に押当てて、実質的に高摩擦要素４４をストレート端部１１の後方領域の外周面に同心的に固着させることができる。
【手続補正２４】
【補正対象書類名】明細書
【補正対象項目名】００６５
【補正方法】変更
【補正の内容】
【００６５】この時、円弧状のクロス部６２３の幅方向両端に、一対の平行脚部６２１，６２２よりも外側に間隙を隔てて突設させた一対の軸方向に延びる平行係合突条部６２３ｂ，６２３ｃのそれぞれの軸方向両端部を６２３ｄ、６２３ｅをそれぞれ、ソケット部２２１に形成された軸方向に延びる突出壁２２６のうち、第１の横断孔２３０の軸方向の両端に隣接した近接係合部分２２６ａ、２２６ｂに係合させることができ、クリップ６２が雌型ハウジング２２０に対して回動不能に保持され、実質的に雄要素１０と雌型ハウジング２２０とを相対的に廻り止めすることができる。ここで、接続位置挿入されたストレート端部１１の後方領域に対して実質的に筒状の高摩擦要素を高摩擦要素の外周から締付けるために、高摩擦要素４４の外周に配置されたクリップ（締結要素）６２と、ソケット部２２１に形成された突出壁２２６の近接係合部分（規制要素）２２６ａ、２２６ｂとで廻り止め手段６０２の一例を構成している。
【手続補正２５】
【補正対象書類名】明細書
【補正対象項目名】００７０
【補正方法】変更
【補正の内容】
【００７０】管状延長部２３２は、その入口部２３２ａで雄要素１０のストレート端部１１の導入端１２を受け入れると共にその終端部２３２ｂで流路を形成するために段付き軸穴２３５と共に形成され、雄要素１０の導入端１２が接続位置まで挿入された時に、管状延長部２３２の入口領域２３２ａで流体シールするために、入口部２３２の入口側部に、終端側部の軸穴２３５ｂの内径よりも大きい内径を有する大径軸穴２３５ａが形成されている。そして、大きい軸穴２３５ａには、独立したＯリング５３，５３が装着されている。
【手続補正２６】
【補正対象書類名】明細書
【補正対象項目名】００７１
【補正方法】変更
【補正の内容】
【００７１】ソケット部２３１の開口端２３４に隣接した一端開口側部２３１ａに保持手段３０３を形成するために、一端開口側部２３１ａの円筒壁の同一円上に２個のコの字状のカット部３３ａ，３３ｂが施されている（図１６も参照）一方、一端開口側部２３１ａに隣接した他端側部（他方側部）２３１ｂに廻り止め手段６０３を構成するために、他端側部（他方側部）２３１ｂは一端開口側部２３１ａの円筒壁と管状延長部２３２のフランジ部２３２ｃ間を接続する後述する一対の対象円筒壁部分で形成された断面円弧の一対の平行接続壁６３０ａ，６３０ｂで形成されている。
【手続補正２７】
【補正対象書類名】明細書
【補正対象項目名】００７２
【補正方法】変更
【補正の内容】
【００７２】一端開口側部２３１ａにかかるコの字状のカット部３３ａ，３３ｂを施こすことにより、対向する一対の円弧壁部３３０ａ，３３０ｂからそれぞれ同一周方向に延びる円弧状のアーム部（弾発的に雄要素１０の環状突部１３の通過を許すための弾性的に半径方向に変形可能な変形可能部分）３３１，３３２が形成され、円弧状のアーム部３３１，３３２のそれぞれの自由端部に半径方向内方に突出した係合爪部３３１ａ、３３２ａを設けて保持手段３３が構成されている。従って、雄要素１０のストレート端部１１をソケット部２２１の一端開口２２４から挿入した時に、ストレート端部１１に形成された環状突部１３が係合爪３３１ａ、３３２ａに当接してアーム部３３１，３３２が半径方向外方に弾性的に変形させ、雄要素１０の環状突部１３を係合爪３３１ａ，３３２ａにスナップ係合させることができ、雄要素１０と雌型ハウジング２３０とを接続するができる。そして、流路に流体圧が作用した際に、円弧状のアーム部３３１，３３２がカット部３３ａ，３３ｂを介して半径方向に延びる筒壁のカット表面に当接して、雄要素１０がソケット部２２１から外れるのを阻止することができる。
【手続補正２８】
【補正対象書類名】明細書
【補正対象項目名】００７３
【補正方法】変更
【補正の内容】
【００７３】図１８は図１５のＶ−Ｖ線に沿った断面図であり、図に示すように、ソケット部２３１の他端側部２３１ｂは、一対の平行接続壁６３０ａ，６３０ｂを形成するために、断面円弧の一対の平行接続壁６３０ａ，６３０ｂを残してそれぞれの周方向両端に他端側部２３１ｂの軸穴２３３を横断した実質的に平行な一対の平行切欠き窓６３ａ，６３ｂが形成され、図１９に示すように、他方の平行接続壁６３０ｂの内周面に軸方向に延びる係合溝６３８が形成されており、円弧形状の底部４５１から下方に突出した係合突起４５１ａを有するエラストマー等の高摩擦材料からなる断面Ｕの字形状あるいは断面Ｃの字形状の高摩擦要素４５が、平行切欠き窓６３ａ，６３ｂを通じて一対の平行接続壁６３０ａ，６３０ｂ間に挿入嵌着されている。
【手続補正２９】
【補正対象書類名】明細書
【補正対象項目名】００７４
【補正方法】変更
【補正の内容】
【００７４】さらに詳しくは、断面Ｕの字形状あるいは断面Ｃの字形状の高摩擦要素４５に形成された係合突起４５１ａをソケット２３１の他端側部（他方側部）２３１ｂに形成された係合溝６３８に嵌合させることにより、高摩擦要素４５は一対の平行接続壁６３０ａ，６３０ｂ間に回動不能に挿入嵌着され、図１７に示す、バネ弾性を有するＵ字形状のステップル（締結要素）６３の略平行に延びる２つの脚部６３１，６３２が、図１８及び図１９に示すように、ソケット２３１の他方側部２３１ｂの一方の平行接続壁６３０ａを跨いで高摩擦要素４５の外周を覆うように平行切欠き窓６３ａ，６３ｂに挿通して、次に説明する開放位置（図１９）にステップル（締結要素）６３が半径方向外方から締付け位置（図１８）にスライド移動可能且つ回動不能にソケット２３１の他方側部２３１ｂに装着されている。
【手続補正３０】
【補正対象書類名】明細書
【補正対象項目名】００８２
【補正方法】変更
【補正の内容】
【００８２】図２１には、さらに本発明に基づく他の形態のコネクタ組立体４が示されている。このコネクタ組立体４は、雌型ハウジング２４０のソケット部２４１の他端側部（他方側部）２４１ｂは、コネクタ組立体３に採用された廻り止め手段６０３、と実質的に同一の廻り止め手段６０３（便宜上同一符号を付した）が構成されいる一方、ソケット部２４１の開口端側部２４１ａに、コネクタ組立体３で説明した保持手段３３とは異なる形態の保持手段３４が取出し可能に確保されたものである。即ち、この実施例の雌型ハウジング２４０のソケット部２４１の他端側部２４１ｂに、コネクタ組立体３で説明した、平行切欠き窓６３ａ，６３ｂと実質的に同一の平行切欠き窓が施され、一対の平行切欠き窓を通じて軸穴２４３に、コネクタ組立体３で説明した断面Ｕ字形状の高摩擦要素４５と実質的に同一の断面Ｕ字形状の高摩擦要素４５が装着され、接続位置まで十分挿入された雄要素１０の導入端１２に対して締付けできる実質的に同一のステップル６３（便宜上同一符号を付した）が開放位置と締付け位置とをスライド移動できるように構成されている（図１８及び図１９も参照）。
【手続補正３１】
【補正対象書類名】明細書
【補正対象項目名】００９３
【補正方法】変更
【補正の内容】
【００９３】筒状のソケット本体２６１は段付き軸穴２６３を有し、軟質ナイロン１２等、比較的軟質の樹脂で射出成形され、その一端側（一端側部）３６と他端側（他方側部）６００との境に、半径方向内方に突出した環状のリブ２１１ｃを有し、一端側３６の軸穴２６３ａは他端側６００の軸穴２６３ｂより大きい内径を有している。そして、一端側３６に接続位置まで十分挿入された雄要素１０がソケット本体２６１から外れるのを阻止するための保持装置（保持手段）３６がソケット本体２６１と一体に形成され、他端側に、接続された雄要素１０と筒状のソケット本体２６１とが相対的に回動するのを阻止するための廻り止め手段６０４を構成するための円筒部（他方側部）６００が形成されている。
【手続補正３２】
【補正対象書類名】明細書
【補正対象項目名】００９５
【補正方法】変更
【補正の内容】
【００９５】円筒部６００の一端に内周面から半径方向内方に突出した環状のリブ２１１ｃを有し、円筒部６００の他端から円筒部（他方側部）６００の軸穴２６３ｂに円筒形の高摩擦要素４７が環状のリブ２１１ｃに当接するまでが挿入装着され、さらに高摩擦要素４７の他端に隣接してブッシュ６６が圧入され、高摩擦要素４７が軸穴２６３ｂ内に予め位置決め固着され、管状延長部２６２とソケット本体２６１とが同軸的に接続された際に、ブッシュ６６の他端に形成された突出部が管状延長部２６２の入口部２６５の大きい軸穴２６８ａの一端に嵌着し、Ｏリング５５を大きい軸穴２６８ａ内に保持している。
【手続補正３３】
【補正対象書類名】明細書
【補正対象項目名】００９９
【補正方法】変更
【補正の内容】
【００９９】コネクタ組立体７は、雄要素１０の導入端１２と共に環状突部１３がソケット部２６１の開口端２６４から挿入された時に、保持装置（保持手段）３０６の一対の係合フィンガー（係合部）３６２，３６２が環状突部１３とスナップ係合して雄要素１０と雌型ハウジング２６０とが回動可能に接続されると共に、雄要素１０の導入端１２の前方領域がシール要素５５の内周に係合して導入端１２と管状延長部２６２の入口部２６５ａ間が流体密にシールされ、且つ、導入端１２の後方（環状突部１３よりも前方に位置するストレート端部１１の前方領域）が高摩擦要素４７の貫通穴に挿嵌される。
【手続補正３４】
【補正対象書類名】明細書
【補正対象項目名】０１００
【補正方法】変更
【補正の内容】
【０１００】しかる後、拡径状態に保持された環状のクランプ６４の差込保持具８１を取外した時に、図３０に示すように、クランプ６４が縮径して、高摩擦要素４６を雄要素１０の導入端１２の前方領域に対して圧縮でき、高摩擦要素４６を介して雄要素１０と締結要素６４とを一体的に固着できる。そして、クランプ６４の開いた一対の自由端部６４２．６４３が内方リブ部側の切欠き６１２ａの周方向のそれぞれの端縁に当接係合し、締結要素６４の回動が規制され、実質的に締結要素６４に固着された雄要素１０と雌部材２１とが相対的に廻り止めされる。
【手続補正３５】
【補正対象書類名】明細書
【補正対象項目名】０１０３
【補正方法】変更
【補正の内容】
【０１０３】管状延長部２７２は、雄要素１０の導入端１２が接続位置に挿入された時に、管状延長部１０の入口部２７２ａにおいて、雄要素１０の導入端１２を受入れ、終端部２７２ｂで流路を形成するために段付き軸穴２７６と共に形成され、流体シールし得るように、入口部２７２ａの入口側部２７２ｃに、終端側部２７２ｄの軸穴２７６ｂの内径よりも大きい内径を有する軸穴２７６ａが形成されている。
【手続補正３６】
【補正対象書類名】明細書
【補正対象項目名】０１０４
【補正方法】変更
【補正の内容】
【０１０４】この実施例の第１の特徴は、高摩擦要素部４８とシール要素部５６がゴム等の弾性材料にてスリーブ状の弾性体４００に一体成形され、このスリーブ状の弾性体４００がソケット部２７１の一端開口２７４から挿入され、シール要素部５６が管状延長部２１２の入口部２７２ａの大きい軸穴２７６ａ内に装着され、高摩擦要素部４８がソケット部２７１の他端側領域（他方側部）２７１ｂの軸穴２７３内に装着されている。そして、このスリーブ状の弾性体４００は、次に説明するソケット部２７１の一端開口側領域（一端開口側部）２７１ｂに取外し可能に確保された独立した保持要素３７により、ソケット部２７１の他端側領域２７１ｂの軸穴２７３内及び管状延長部２１２の入口部２７２ａの大きい軸穴２７６ａ内に保持されている。
【手続補正３７】
【補正対象書類名】明細書
【補正対象項目名】０１１３
【補正方法】変更
【補正の内容】
【０１１３】雌型ハウジング２８０は、図３４に示すように、その一端開口２８４から管状の雄要素１０のストレート端部１１と共に環状突部１３を受入れるのに適した内方に延びる内表面で形成された軸穴を有する一端開口側部２８１ａを備えたソケット部２８１と、ソケット部２８１の他端にソケット部２８１と同軸的に一体に接続された管状延長部２８２とを備え、ソケット部２８１と管状延長部２８２とは樹脂材料にて一体に型成形され、管状延長部２８２の入口部２８６に雄要素１０の導入端１２を受入れ、シールするのに適した段付き軸穴２８６ａ，２８６ｂが形成されている。
【手続補正３８】
【補正対象書類名】明細書
【補正対象項目名】０１１４
【補正方法】変更
【補正の内容】
【０１１４】ソケット部２８１の内表面には、一端開口２８４に隣接して半径方向内方に延びる鍔２８４ａが形成され、環状突部を収容するために、鍔２８４ａから軸方向に距離を隔ててソケット部２８１と管状延長部２８２との境を規定する半径方向に延びる環状の対向表面２８５とで区画された環状凹部を有するソケット部２８１の他方側部２８１ｂが形成され、この他方側部２８１ｂと一端開口側部２８１ａとで形成された環状溝に、後述する高摩擦要素を備えた断面略Ｃ字形状の保持手段３９が同心的に収容されると共に、実質的に図５で説明したものと同様の断面Ｕ字状のクリップ６１（便宜上、図５に示されたクリップと同一符号を付す）が廻り止め手段６０９の構成部分として、後述する締付け位置に移行可能に、図に示す開放位置に、予め保持手段３９と一緒にソケット部２８１に組立保持される。
【手続補正３９】
【補正対象書類名】明細書
【補正対象項目名】０１１７
【補正方法】変更
【補正の内容】
【０１１７】環状凹部２８１ｂ内に保持された断面Ｃ字形状の保持手段３９は、図３６に示すように、雄要素１０のストレート端部１１の外径よりも少し大きい内径を有する中央穴を有し、弾発的に雄要素の環状突部１３を通過可能に、弾性的に半径方向に変形可能な変形可能部分として、平坦な頂面３９１ａをもつ接続壁３９１と、接続壁３９１の両端から略直角に延びる一対の平行外表面３９２ａ，３９３ａをもつ側壁３９２，３９３とを備え、これらの対向する一対の自由端部３９２ｂ，３９３ｂ間に軸方向に延びる空間３９４が形成されている。また、平坦な頂面３９１ａと一方の平行外表面３９２ａとの交差部及び他方の平行外表面３９３ａとの交差部は弧状表面３９５，３９６が施されている。また、中央穴内周面に、保持手段３９が拡径及び縮径し易いように、これら交差部に切欠凹部き３９ａ，３９ｂが施されている。
【手続補正４０】
【補正対象書類名】明細書
【補正対象項目名】０１１８
【補正方法】変更
【補正の内容】
【０１１８】さらに、一方の側壁３９２には、その平行外表面３９２ａから突出した突出部３９９を有し、突出部３９９に平行外表面３９２ａと平行に延びる貫通孔３９９ａが施され、且つ、保持手段部３９は、図３４から理解できるように、径方向に弾性的に変形するための方向部分（接続壁３９１及び一対の側壁３９２，３９３）と、軸方向両端に軸方向に変形しない軸方向部分として、一方の端面３９７と他方の端面３９８とを備え、一方の端面３９７に他方に向かって漸次小径になる凹テーパー面３９７ａが施され、他方の端面３９８に半径方向に伸びる係合部を有する環状溝３９８ｂが施されている。
【手続補正４１】
【補正対象書類名】明細書
【補正対象項目名】０１１９
【補正方法】変更
【補正の内容】
【０１１９】また、雌型ハウジング２８０はソケット部２８１の一端開口側部２８１ａの管壁に、図３６に示すように、比較的大きな第１の窓２８１ｃと、この第１の窓２８１ｃの窓幅を規定する周方向に距離を隔てて対面する一対の軸方向に延びる一対の平行切断面２８１ｆ，２８１ｇの一方の切断表面２８１ｆから環状凹部２８１ｂを横断して真直ぐ管壁を貫通した溝穴２８１ｄと、他方の切断面２８１ｇから環状凹部２８１ｂを横断して第１の窓２８１ｃ寄りに管壁を貫通した第２の窓２８１ｅが施されている。なお、溝穴２８１ｄは軸方向に細長いスリット状に形成され、第２の窓２８１ｅは第１の窓２８１ｃよりも少し小さく形成されている。
【手続補正４２】
【補正対象書類名】明細書
【補正対象項目名】０１２０
【補正方法】変更
【補正の内容】
【０１２０】そして、クロス部位６１１の両端から直角に延びる一対の平板状の平行脚部６１２，６１３を設けて形成された断面Ｕ字状のクリップ６１（前記図５で説明したものと実質的に同一形状に形成されているので、便宜上図５に示したクリップ６１と同一符号を付した）は、ソケット部２８１の外方からクリップ６１の平板状の平行脚部６１２，６１３のそれぞれの自由端をそれぞれ第１の窓２８１ｃの一対の平行切断面２８１ｆ，２８１ｇに係合させ且つ長い平板状の脚部６１２の自由端を保持手段部３９の平行外表面３９３ａに設けた前記突出部３９９の貫通孔３９９ａに挿通係合させることにより、予め、図３５及び図３６に示すように、ソケット部２８１の一端開口側部２８１ａの半径方向外方から締付け位置に軸直角に移行可能に、軸方向には移動不能にソケット部２８１の第１の窓２８１ｃの開放位置に予め保持される。
【手続補正４３】
【補正対象書類名】明細書
【補正対象項目名】０１２４
【補正方法】変更
【補正の内容】
【０１２４】その結果、溝穴２８１ｄに挿通され長い脚部６１２によって、クリップ６１はソケット部２８１に対して回動不能に保持される一方、短い脚部６１３の自由端に形成されたカール部６１５によって、好ましくは、保持手段（高摩擦要素）３９を弾性的に縮径変形させ、スナップ結合された雄要素１０のストレート端部１１に形成された環状突部１３よりも後方に位置するストレート端部１１の後方領域に対して保持手段（高摩擦要素）３９を回動しないように同心的に締付け固定することができる。従って、ソケット部２８１の管壁に形成された第１の窓２８１ｃ及び溝穴２８１ｄを通じて回動不能に規制されたクリップ６１によって、雄要素１０は保持手段（高摩擦要素）３９と一緒にソケット部２８１に対して回動不能に保持される。ここで、ソケット部２８１の管壁に形成された第１の窓２８１ｃ及び溝穴２８１ｄが本発明の要旨中の「規制要素」の一例を構成している。
【手続補正４４】
【補正対象書類名】明細書
【補正対象項目名】０１３４
【補正方法】変更
【補正の内容】
【０１３４】図４３は図４２のＢ−Ｂ線に沿った断面図であり、ソケット部２９１は、図４３に示すように、外郭が略四角形で、詳しくは，四つの壁は四隅からコの字に突出し、径対称に突出した軸方向に延びる一方の一対の突出平行壁２９６，２９７と、この仮想径と直交する径と径対称に突出した軸方向に延びる他方の一対の突出平行壁２９８，２９９とで管壁が構成され、管状延長部２９２との境に半径方向に延びる環状の表面２９５を形成するために、管状延長部２９２に形成された大きい径の軸穴２９６ａよりも大きい軸穴２９１ａ有している。この軸穴２９１ａは、断面一様で一端開口２９４から環状の表面２９５まで延びている。そして、後述する断面Ｕの字状のクリップ６２を軸直角に移行可能に装着するための横断孔２９３が、ソケット部２９１の他方側に形成された環状の表面２９５に隣接する環状突部受入部分（他方側部）２９５ａを残して、一端開口２９４に隣接した開口端部（一端開口側部）２９４ａの軸穴２９１ａを横断することにより、ソケット部２９１の一方の一対の突出平行壁２９６，２９７を分断して形成されている。
【手続補正４５】
【補正対象書類名】明細書
【補正対象項目名】０１３８
【補正方法】変更
【補正の内容】
【０１３８】その結果、接続位置まで雄要素１０を挿入した後、クリップ６２を締付け位置に押込むことにより、環状突部を受入部分２９５ａ内に収容された環状突部１３をクリップ６２の平行脚部６２１，６２２の中間位置に形成された対面する円弧状凹部６２１ｂ，６２２ｂのそれぞれの半径方向に延びる縁部で係合させ、雄要素１０は雌型ハウジング２９０のソケット部２９１から外れないように、実質的に軸方向に移動不能に接続されると共に、雌型ハウジング２９０のソケット部２９１の開口端部（一端開口側部）２９４ａの一対の突出平行壁（規制手段）２９８，２９９に対して回動不能に係合したクリップ６２の平行脚部６２１，６２２によって、雄要素１０のストレート端部１１の後方領域が高摩擦要素４４を介して回動しないように弾性的に締付けられ、雄要素１０と雌型ハウジング２９０は相対的に回動不能に廻り止めされる。
【手続補正４６】
【補正対象書類名】明細書
【補正対象項目名】０１４５
【補正方法】変更
【補正の内容】
【０１４５】【発明の効果】本発明によれば、雄要素と雌型ハウジングとを相対的に回動自在に容易に接続することができ、しかる後、雄要素と雌型ハウジングとを相対的に回動させて定められた相対位置に雄要素と雌型ハウジングとを廻り止めすることができる新規なコネクタ組立体を提供することができる。また、本発明の接コネクタ組立体は、雄要素と雌型ハウジングとの廻り止め操作が極めて容易であり、特に、締結要素により高摩擦要素と雄要素が少なくとも密接できるので、雄要素のストレート端部の外周面を通して外部から埃、雨水等の異物がシール要素の内周面とストレート端部の外周面間のシール部に侵入するのを抑制することができると共に、さらには高摩擦要素の外周面で雌型ハウジング要素部の軸穴をシールすることも可能であり、軸穴の内周面を通して外部から埃、雨水等の異物がシール要素の外周面とのシール部に侵入するのを抑制することも可能となる。また、締結要素が保持手段を兼備えている場合、かかる締結要素は雌型ハウジングの開口端から雄要素が接続位置まで十分挿入されて確実に接続されていることを確認できる確認要素としても機能する。
【手続補正４７】
【補正対象書類名】明細書
【補正対象項目名】符号の説明
【補正方法】変更
【補正の内容】
【符号の説明】  符号の説明１，２，３，４，５，６，７，８，９    コネクタ組立体      １０    雄要素      １１    ストレート端部      １２導入端      １３    管状突部      ３１，３１′，３１″，３２，３３，３４，３５，３６，３７，３８，  保持手段      ３９    高摩擦要素を兼ね備えた係合要素      ４１，４２，４３，４４，４５，４６，４７，４８，４９    高摩擦要素      ６１，６２，６３，６３ａ，６４，６５    締結要素      ２１０，２２０，２３０，２４０，２５０，２６０，２７０，２８０，２９０    雌型ハウジング要素      ２１１，２２１，２３１，２４１，２５１，２６１，２７１，２８１，２９１    ソケット      ２１１ａ，２２１ａ，２３１ａ，２４１ａ，２５１ａ，２６１ａ，２７１ａ    一端開口側部（一端側領域）      ２１１ｂ，２２１ｂ，２３１ｂ，２４１ｂ，２５１ｂ，２７１ｂ    他方側部（他端側領域）      ２１２，２２２，２３２，２４２，２５２，２６２，６１１，２８２，２９２，    管状延長部      ２１２ａ，２２２ａ，２３２ａ，２４２ａ，２５２ａ，２６２ａ，２７２ａ，２８６，２９６    入口部      ２１６，２５５，２３５，２６８，２７６    段付き穴      ２１６ａ，２５５ａ，２３５ａ，２６８ａ，２７６ａ，２８６ａ，２９６ａ    大きい軸穴